(57)【要約】【課題】低輝度下でのマクロ撮影において初心者でも使い易いデジタルカメラを提供する。【解決手段】被写体像を液晶モニタ２６にスルー画表示する際に、被写体が低輝度か判定し（Ｓ６３）、照明装置が装着されているか判定し（Ｓ６４）、マクロ撮影モードが設定されているか、若しくはマクロレンズが装着されているか判定し（Ｓ６５）、これらの判定結果、低輝度・マクロ撮影モード・マクロレンズ装着の場合には、照明装置５００によって照明光を照射することにより（Ｓ６７）、撮影前に不自然な影が生じないかを確認することができる。【選択図】  図６
2007312268.tif 000002
【特許請求の範囲】
【請求項１】
被写体光束を受光し、被写体像に関する信号を出力する撮像手段と、
この撮像手段の出力に基づいて、被写体の動画像を表示するためのスルー画表示手段と、
被写体に対して連続的な照明光を照射する照明手段と、
を具備し、
マクロ撮影時、被写体が低輝度の場合には、上記スルー画表示手段による上記被写体像の表示時に上記照明手段による照明を行うようにしたことを特徴とするデジタルカメラ。
【請求項２】
マクロ撮影に適した撮影条件を設定するマクロモードを含む複数の撮影モードを設定するための撮影モード設定手段を含み、上記マクロ撮影モードが設定された状態で被写体が低輝度の場合には、上記スルー画表示手段による上記被写体像の表示にともなって上記照明手段による照明を行うようにしたことを特徴とする請求項１に記載のデジタルカメラ。
【請求項３】
マクロ撮影に適した撮影レンズが装着された状態で被写体が低輝度の場合には、上記スルー画表示手段による上記被写体像の表示にともなって上記照明手段による照明を行うようにしたことを特徴とする請求項１に記載のデジタルカメラ。
【請求項４】
撮影レンズのピント位置がマクロ撮影に適した距離にある場合には、上記スルー画表示手段による上記被写体像の表示にともなって上記照明手段による照明を行うようにしたことを特徴とする請求項１に記載のデジタルカメラ。
【請求項５】
上記照明装置は、複数の白色ＬＥＤによって照明光を照射することを特徴とする請求項１に記載のデジタルカメラ。
【請求項６】
上記照明装置は、撮影レンズの先端に着脱可能であることを特徴とする請求項１に記載のデジタルカメラ。
【請求項７】
上記照明装置が装着されたことを検知する検知手段を具備することを特徴とする請求項６に記載のデジタルカメラ。
【請求項８】
被写体光束を受光し、被写体像に関する信号を出力する撮像手段と、
この撮像手段の出力に基づいて、被写体の動画像を表示するためのスルー画表示手段と、
被写体に対して照明光を照射するカメラ本体に内蔵もしくは装着可能な照明手段と、
マクロ領域を撮影するか否かを判定する判定手段と、
上記スルー画表示手段によってスルー画表示中に、上記判定手段によってマクロ領域を撮影すると判定された場合には、上記照明手段による照明を行う照明制御手段と、
を具備したことを特徴とするデジタルカメラ。
【請求項９】
上記判定手段は、マクロ撮影モードが設定された場合、またはマクロレンズが装着された場合、または撮影レンズのピント位置がマクロ領域にある場合に、マクロ領域を撮影すると判定することを特徴とする請求項８に記載のデジタルカメラ。
【請求項１０】
上記照明制御手段は、他の表示モードに切り換えられた際に、上記照明手段による照明を終了することを特徴とする請求項８に記載のデジタルカメラ。
【発明の詳細な説明】
【技術分野】
【０００１】
本発明は、スルー画表示機能を有するデジタルカメラに関し、詳しくは、撮像素子で取得した画像を表示装置に表示する所謂スルー画表示機能（ライブビュー表示機能、電子ファインダ機能とも言う）を有するデジタルカメラに関する。
【背景技術】
【０００２】
従来のコンパクトデジタルカメラにおいては、被写体像の観察は、光学式ファインダにより行っていたが、最近は、光学式ファインダをなくし、代わりに被写体画像データの記録用に設けられている撮像素子の出力を表示にも利用している。即ち、撮像素子で取得した画像を、被写体像観察用に液晶モニタ等の表示装置によって表示するスルー画像表示機能を有しているものが多くなってきている。
【０００３】
このようなスルー画表示機能は、例えば、パララックスが生じないためマクロ撮影時等に有効であり、このためデジタル一眼レフカメラに搭載した例も種々提案されている。例えば、光学ファインダ表示モードと電子ファインダ表示モードを選択可能とし、電子ファインダ表示モードが選択されたときには、可動ミラーを撮影光路から退避させるとともにフォーカルプレーンシャッタを全開状態にして被写体像を撮像素子に導き、それによって得られた被写体像を観察用に液晶モニタに表示するようにしたデジタル一眼レフカメラが提案されている（特許文献１）。また、一眼レフファインダの光路内にミラーを配置し、光束の一部を撮像素子に導き、この撮像素子で撮像した被写体像を表示装置に観察用に表示するデジタル一眼レフカメラが提案されている（特許文献２）。
【特許文献１】特開２００２−３６９０４２号公報
【特許文献２】特開２０００−１７５１００号公報
【発明の開示】
【発明が解決しようとする課題】
【０００４】
ところで、被写体が低輝度の場合にフラッシュ装置等の補助照明光を照射するのは一般的な撮影技法である。ところがマクロ撮影においては、被写体とカメラとの距離が近いために、一般的な被写体と同様の自動調光だけでは狙い通りの写真にならないことがある。また、フラッシュ装置の発光量や照射角度等の発光条件を適正設定にしなければ白飛びや不自然な影が発生することが多く、撮影者は経験的に多くの工夫をしながらフラッシュ装置を用いてのマクロ撮影を行ってきた。
【０００５】
本発明は、このような事情を鑑みてなされたものであり、低輝度下でのマクロ撮影において初心者でも使い易いデジタルカメラを提供することを目的とする。
【課題を解決するための手段】
【０００６】
上記目的を達成するため第１の発明に係わるデジタルカメラは、被写体光束を受光し、被写体像に関する信号を出力する撮像手段と、この撮像手段の出力に基づいて、被写体の動画像を表示するためのスルー画表示手段と、被写体に対して連続的な照明光を照射する照明手段を具備し、マクロ撮影時、被写体が低輝度の場合には、上記スルー画表示手段による上記被写体像の表示時に上記照明手段による照明を行うようにする。
【０００７】
第２の発明に係わるデジタルカメラは、上記第１の発明において、マクロ撮影に適した撮影条件を設定するマクロモードを含む複数の撮影モードを設定するための撮影モード設定手段を含み、上記マクロ撮影モードが設定された状態で被写体が低輝度の場合には、上記スルー画表示手段による上記被写体像の表示にともなって上記照明手段による照明を行うようにする。
また、第３の発明に係わるデジタルカメラは、上記第１の発明において、マクロ撮影に適した撮影レンズが装着された状態で被写体が低輝度の場合には、上記スルー画表示手段による上記被写体像の表示にともなって上記照明手段による照明を行うようにする。
また、第４の発明に係わるデジタルカメラは、上記第１の発明において、撮影レンズのピント位置がマクロ撮影に適した距離にある場合には、上記スルー画表示手段による上記被写体像の表示にともなって上記照明手段による照明を行うようにする。
【０００８】
また、第５の発明に係わるデジタルカメラは、上記第１の発明において、上記照明装置は、複数の白色ＬＥＤによって照明光を照射する。
さらに、第６の発明に係わるデジタルカメラは、上記第１の発明において、上記照明装置は、撮影レンズの先端に着脱可能である。
さらに、第７の発明に係わるデジタルカメラは、上記第６の発明において、上記照明装置が装着されたことを検知する検知手段を具備する。
【０００９】
上記目的を達成するため第８の発明に係わるデジタルカメラは、被写体光束を受光し、被写体像に関する信号を出力する撮像手段と、この撮像手段の出力に基づいて、被写体の動画像を表示するためのスルー画表示手段と、被写体に対して照明光を照射するカメラ本体に内蔵もしくは装着可能な照明手段と、マクロ領域を撮影するか否かを判定する判定手段と、上記スルー画表示手段によってスルー画表示中に、上記判定手段によってマクロ領域を撮影すると判定された場合には、上記照明手段による照明を行う照明制御手段を具備する。
【００１０】
第９の発明に係わるデジタルカメラは、上記第８の発明において、上記判定手段は、マクロ撮影モードが設定された場合、またはマクロレンズが装着された場合、または撮影レンズのピント位置がマクロ領域にある場合に、マクロ領域を撮影すると判定する。
また、第１０の発明に係わるデジタルカメラは、上記第８の発明において、上記照明制御手段は、他の表示モードに切り換えられた際に、上記照明手段による照明を終了する。
【発明の効果】
【００１１】
本発明によれば、マクロ撮影時、被写体が低輝度の場合には、スルー画表示手段による被写体像の表示時に照明手段による照明を行うようにするようにしたので、低輝度下でのマクロ撮影において初心者でも使い易いデジタルカメラを提供することができる。
【発明を実施するための最良の形態】
【００１２】
以下、図面に従って本発明を適用したデジタル一眼レフカメラシステムを用いて好ましい一実施形態について説明する。図１は、本発明の実施形態に係るデジタル一眼レフカメラシステムについて正面側からみた外観斜視図である。このデジタル一眼レフカメラシステムは、カメラ本体２００、撮影レンズ１００および照明装置５００が装着自在であり、これらによって構成されている。
【００１３】
カメラ本体２００は、このデジタル一眼レフカメラシステムの全体を制御し、被写体像をスルー画表示し撮影動作に伴って静止画像を取得し記録媒体に記録を行うものである。カメラ本体２００の上面にはレリーズ釦２１、撮影モードダイヤル２２等が配置されている。レリーズ釦２１は、撮影者が半押しするとオンする第１レリーズスイッチと、全押しするとオンする第２レリーズスイッチを有している。この第１レリーズスイッチ（以下、１Rと称する）のオンによりカメラは焦点検出、撮影レンズのピントあわせ、被写体輝度の測光等の撮影準備動作を行い、第２レリーズスイッチ（以下、２Rと称する）のオンにより撮像素子としてのＣＣＤ（Charge Coupled Devices）２２１（図３参照）の出力に基づいて被写体像の画像データの取り込みを行う撮影動作を実行する。
【００１４】
撮影モードダイヤル２２は回転可能に構成された操作部材であり、図２に示すように、モードダイヤル２２上に設けられた撮影モードを表す絵表示または記号を指標５１に合致させることにより、各撮影モードを選択することができる。すなわち、フルオート撮影モード（ＡＵＴＯ）５１、プログラム撮影モード（Ｐ）５３、絞り優先撮影モード（Ａ）５４、シャッタ撮影優先モード（Ｓ）５５、マニュアル撮影モード（Ｍ）５６、ポートレート撮影モード５７、風景撮影モード５８、マクロ撮影モード５９、スポーツ撮影モード６０、夜景撮影モード６１等の各撮影モードを選択することができる。
【００１５】
ここで、フルオート撮影モード（ＡＵＴＯ）５１は、レンズの絞り値、シャッタ速度をカメラで自動的に設定し、暗いときにはフラッシュ（不図示）が自動的にポップアップし、フラッシュ撮影を可能とするモードである。一般的な記念撮影にはこのモードで十分である。プログラム撮影モード（Ｐ）５３は適正露光となる絞り値とシャッタ速度をカメラが自動的に決めて設定するモードである。絞り優先撮影モード（Ａ）５４は、絞り値を撮影者が設定すると、適正露光となるシャッタ速度をカメラ自動的に決めて設定するモードである。シャッタ優先撮影モード（Ｓ）５５は、シャッタ速度を撮影者が設定すると、適正露光となる絞り値をカメラが自動的に決めて設定するモードである。マニュアル撮影モード（Ｍ）５６は、絞り値とシャッタ速度を撮影者が設定するモードである。ポートレート撮影モード５７は、人物撮影をするのに最適なモードであり、風景撮影モード５８は、風景を撮影するのに最適なモードであり、マクロ撮影モード５９は被写体に近接した撮影を行うのに最適なモードであり、スポーツ撮影モード６０はスポーツなどの動きのある被写体を撮影するのに最適なモードであり、夜景撮影モード６１は、夜景と人物を一緒に撮影するのに最適なモードである。
【００１６】
また、カメラ本体２００の側面には、後述する照明装置５００の制御ラインと接続するためのコネクタ４００ａが設けられている。さらに、カメラ本体２００の背面には液晶モニタ２６が配設されており（図３参照）、撮影済みの被写体像を再生表示し、また、撮影条件やメニューを表示するための表示装置である。これらの表示を行うことができる表示装置であれば、液晶に限らない。
【００１７】
カメラ本体の正面には被写体像を結像するための撮影レンズ１００が装着可能である。この撮影レンズ１００の先端部には照明装置５００が装着可能であり、この照明装置５００の左右にはそれぞれ左側照明部５０４ａと右側照明部５０４ｂが配設されている。この照明部５０４ａ、５０４ｂは、白色ＬＥＤが組み込まれており、被写体に対して白色光を連続的に照射することが可能である。右側照明部５０４ｂには、カメラ本体２００によって照明装置５００を制御するための制御ラインが設けられており、この制御ラインの先端部には、前述のコネクタ４００ａに接続するためのソケット４００ｂが設けられている。
【００１８】
次に、図３を用いて、デジタル一眼レフカメラの電気系を主とする全体構成を説明する。本実施形態では、撮影レンズ１００とカメラ本体２００は前述したように別体で構成され、通信接点３００にて電気的に接続されているが、撮影レンズ１００とカメラ本体２００を一体に構成することも可能である。
【００１９】
撮影レンズ１００の内部には、焦点調節および焦点距離調節用のレンズ１０１、１０２と、開口量を調節するための絞り１０３が配置されている。レンズ１０１およびレンズ１０２はレンズ駆動機構１０７によって駆動され、絞り１０３は絞り駆動機構１０９によって駆動されるよう接続されている。レンズ駆動機構１０７、絞り駆動機構１０９はそれぞれレンズＣＰＵ１１１に接続されており、このレンズＣＰＵ１１１は通信接点３００を介してカメラ本体２００に接続されている。レンズＣＰＵ１１１は撮影レンズ１００内の制御を行うものであり、レンズ駆動機構１０７を制御してピント合わせや、ズーム駆動を行うとともに、絞り駆動機構１０９を制御して絞り値制御を行う。なお、撮影レンズ１００は所謂、絶対距離検出機能を有し、無限側を基準にしてレンズ１０１、１０２の移動に伴って発生するパルスをカウントすることにより、レンズＣＰＵ１１１は被写体距離を検出することができる。検出された被写体距離はボディＣＰＵ２２９に通信回路２４１を介して送信される。
【００２０】
カメラ本体２００内には、被写体像を観察光学系に反射するためにレンズ光軸に対して４５度傾いた位置と、被写体像を撮像素子(後述のＣＣＤ２２１)に導くために跳ね上がった位置との間で、回動可能な可動ミラー２０１が設けられている。この可動ミラー２０１の上方には、被写体像を結像するためのフォーカシングスクリーン２０５が配置され、このフォーカシングスクリーン２０５の上方には、被写体像を左右反転させるためのペンタプリズム２０７が配置されている。このペンタプリズム２０７の出射側(図３で右側)には被写体像観察用の接眼レンズ２０９が配置され、この脇であって被写体像の観察に邪魔にならない位置に測光センサ２１１が配置されている。この測光センサ２１１は被写体像を分割して測光する多分割測光素子で構成されている。
【００２１】
上述の可動ミラー２０１の中央付近はハーフミラーで構成されており、この可動ミラー２０１の背面には、ハーフミラー部で透過した被写体光をカメラ本体２００の下部に反射するためのサブミラー２０３が設けられている。このサブミラー２０３は、可動ミラー２０１に対して回動可能であり、可動ミラー２０１が跳ね上がっているときには、ハーフミラー部を覆う位置に回動し、可動ミラー２０１が被写体像観察位置にあるときには、図示する如く可動ミラー２０１に対して垂直となる位置にある。この可動ミラー２０１はミラー駆動機構２１９によって駆動されている。また、サブミラー２０３の下方には測距用センサを含むＴＴＬ位相差法による測距回路２１７が配置されており、この回路は、レンズ１０１、１０２によって結像される被写体像の焦点ズレ量を測定するための回路である。
【００２２】
可動ミラー２０１の後方には、露光時間制御用のフォーカルプレーンタイプのシャッタ２１３が配置されており、このシャッタ２１３はシャッタ駆動機構２１５によって駆動制御される。シャッタ２１３の後方には撮像素子としてのＣＣＤ２２１が配置されており、レンズ１０１、１０２によって結像される被写体像を電気信号に光電変換する。なお、本実施形態では撮像素子としてＣＣＤを用いているが、これに限らずＣＭＯＳ（Complementary Metal Oxide
Semiconductor）等の二次元撮像素子を使用できることはいうまでもない。ＣＣＤ２２１はＣＣＤ駆動回路２２３に接続され、このＣＣＤ駆動回路２２３によって、ＣＣＤ２２１から出力された光電アナログ信号の増幅がなされる。ＣＣＤ駆動回路２２３はＣＣＤインターフェース２２５を介して画像処理回路２２７に接続されている。ＣＣＤインターフェース２２５によってアナログデジタル変換（ＡＤ変換）がなされ、画像処理回路２２７によってデジタル画像データのデジタル的増幅、色補正、ガンマ(γ)補正、コントラスト補正、白黒・カラーモード処理、スルー画像処理といった各種の画像処理がなされる。
【００２３】
画像処理回路２２７は、ＡＳＩＣ（Application Specific Integrated
Circuit 特定用途向け集積回路）２７１内のデータバス２６１に接続されている。このデータバス２６１には、画像処理回路２２７の他、後述するシーケンスコントローラ(以下、「ボディＣＰＵ」と称す)２２９、圧縮回路２３１、フラッシュメモリ制御回路２３３、ＳＤＲＡＭ制御回路２３６、入出力回路２３９、通信回路２４１、記録媒体制御回路２４３、ビデオ信号出力回路２４７、スイッチ検出回路２５３が接続されている。
【００２４】
データバス２６１に接続されているボディＣＰＵ２２９は、このデジタル一眼レフカメラのフローを制御するものである。またデータバス２６１に接続されている圧縮回路２３１はＳＤＲＡＭ２３７に記憶された画像データをＪＰＥＧやＴＩＦＦで圧縮するための回路である。なお、画像圧縮はＪＰＥＧやＴＩＦＦに限らず、他の圧縮方法も適用できる。データバス２６１に接続されているフラッシュメモリ制御回路２３３は、フラッシュメモリ（Flash Memory）２３５に接続され、このフラッシュメモリ２３５は、一眼レフカメラのフローを制御するためのプログラムが記憶されており、ボディＣＰＵ２２９はこのフラッシュメモリ２３５に記憶されたプログラムに従ってデジタル一眼レフカメラの制御を行う。なお、フラッシュメモリ２３５は、電気的に書換可能な不揮発性メモリである。ＳＤＲＡＭ２３７は、ＳＤＲＡＭ制御回路２３６を介してデータバス２６１に接続されており、このＳＤＲＡＭ２３７は、画像処理回路２２７によって画像処理された画像データまたは圧縮回路２３１によって圧縮された画像データを一時的に記憶するためのバッファメモリである。
【００２５】
上述の測光センサ２１１、シャッタ駆動機構２１５、測距回路２１７およびミラー駆動機構２１９と後述する照明装置インターフェース２８２に接続される入出力回路２３９は、データバス２６１を介してボディＣＰＵ２２９等の各回路とデータの入出力を制御する。レンズＣＰＵ１１１と通信接点３００を介して接続された通信回路２４１は、データバス２６１に接続され、ボディＣＰＵ２２９等とのデータのやりとりや制御命令の通信を行う。データバス２６１に接続された記録媒体制御回路２４３は、記録媒体２４５に接続され、この記録媒体２４５への画像データ等の記録の制御を行う。記録媒体２４５は、ｘDピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２００に対して着脱自在となっている。その他、通信接点を介してハードディスクを接続可能に構成してもよい。
【００２６】
データバス２６１に接続されたビデオ信号出力回路２４７は液晶モニタ駆動回路２４９を介して液晶モニタ２６に接続される。ビデオ信号出力回路２４７は、ＳＤＲＡＭ２３７、記録媒体２４５に記憶された画像データを、液晶モニタ２６に表示するためのビデオ信号に変換するための回路である。液晶モニタ２６はカメラ本体２００の背面に配置されるが、撮影者が観察できる位置であれば、背面に限らないし、また液晶に限らず他の表示装置でも構わない。シャッタレリーズ釦の第1ストロークや第２ストロークを検出するスイッチ、再生モードを指示するスイッチ、ＩＳＯ設定モードを指示するスイッチ、ホワイトバランス設定を指示するスイッチ、液晶モニタ２６の画面でカーソルの動きを指示するするスイッチ、撮影モードを指示するスイッチ、選択された各モード等を決定するＯＫスイッチ、表示モード切換を指示するスイッチ等の各種スイッチ２５５は、スイッチ検出回路２５３を介してデータバス２６１に接続されている。
【００２７】
前述の照明装置５００の内部にはＬＥＤによる白色光の連続照射が可能な照明回路５０１が配設されている。この照明回路５０１とカメラ本体２００は通信接点３１０を介して接続され、通信接点３１０は照明装置インターフェース２８２と接続されている。この照明装置インターフェース２８２は、ボディＣＰＵ２２９からの駆動信号を照明回路５０１に出力し、また照明装置５００がカメラ本体に装着されているか否かの検出を行う。この検出は、照明装置５００が装着されると通電状態となることから、この状態によって検出する。
【００２８】
次に図４を用いてカメラ本体のパワースイッチをオンしたときのパワーオンリセットのフローについて説明する。カメラ本体の図示しないパワースイッチがオンとなったか否かを判定する（Ｓ１）。判定の結果、パワースイッチがオフの場合には、ステップＳ３に進み、スリープ状態となる。このスリープ状態ではパワースイッチがオンとなった場合のみに割り込み処理を行い、それ以外の各種スイッチが操作されても受け付けない。すなわち、パワースイッチがオンとなるまでは、パワースイッチ割り込み処理以外の動作を停止し、電源の消耗を防止する。ステップＳ１において、パワースイッチがオンであった場合には、ステップＳ５に進み、パワースイッチオン処理を行う。このステップＳ５では、カメラ本体の電気系について各種フラグ等の初期値のリセット動作を行い、また機械系について初期位置設定等のリセット動作を行う。
【００２９】
次にレンズ通信を行う（Ｓ７）。これは通信接点３００を介してレンズＣＰＵ１１１と通信を行い、撮影レンズ１００が装着されているか否かの装着情報や、撮影レンズ１００がマクロレンズか否か、撮影レンズ１００の焦点距離情報や、最大・最小絞り値等のレンズ固有情報や、現在の撮影レンズの被写体距離情報等を取得する。続いて、撮影モードダイヤル２２によって設定された撮影モード情報を取得する（Ｓ９）。前述したように、撮影モードとしては、フルオート撮影モード、プログラム撮影モード、マクロ撮影モード等のモードが設定できるので、いずれの撮影モードが設定されているかを検出する。
【００３０】
次に、スルー画モードか否かの判定を行う（Ｓ１１）。カメラ本体の表示モード設定のための操作釦によってスルー画が設定されているか否かを検出し、スルー画モードが設定されていない場合には、情報表示モードに進み（Ｓ１５）、一方、スルー画モードが設定されている場合には、スルー画モードに進む（Ｓ１３）。情報表示モードはカメラの撮影情報等を液晶モニタ２６に表示し、撮影情報を設定変更できるモードであり、被写体像の観察は光学ファインダによって行う。詳しくは図５を用いて後述する。スルー画モードは、ＣＣＤ２２１で撮像した被写体像を液晶モニタ２６に表示するモードである。詳しくは図６を用いて後述する。情報表示モードまたはライブビューモードが終了すると、再び、パワースイッチがオフか否かの判定を行い（Ｓ１７）、オンであればステップＳ１１に戻り前述のステップを繰り返す。パワースイッチがオフであった場合には、ステップＳ３に進み、前述のスリープ状態となる。
【００３１】
次に、図５を用いて情報表示モードのフローについて説明する。情報表示モードに入ると、まず、測光センサ２１１の出力に基づいて被写体輝度の測定を行い、ここで得た被写体輝度に基づいて露光量を求める露光量演算を行う（Ｓ２１）。なお、露光量ＥＶは被写体輝度ＢＶ、ＩＳＯ感度ＳＶとすると、ＥＶ＝ＢＶ＋ＳＶにより求め、さらにこのステップでは、設定された撮影モードに従って露光量に基づくシャッタ速度ＴＶや絞り値ＡＶ等の露出制御値を求める。次に、求められた露出制御値等を含む各種情報の表示を行う（Ｓ２３）。
【００３２】
次に、ステップＳ２５に進み、レリーズ釦２１が半押しされたか、すなわち１Ｒがオンか否かの判定を行う。オンであった場合には、撮影準備動作に移り、測距回路２１７による測距結果に基づいてレンズＣＰＵに対して合焦位置となるように撮影レンズ１００のピントあわせを行う（Ｓ２７）。この後、レリーズ釦２１が全押しされたか、すなわち２Ｒがオンか否かの判定を行う（Ｓ２９）。判定の結果、オフであった場合には、ステップＳ３３に進み、１Ｒがオンか否かの判定を行い、オンの場合には、ステップＳ２９に戻る。レリーズ釦２１が半押しの状態では、全押し状態を待つ待機状態となる。レリーズ釦２１が全押しされた場合には、ステップＳ２９をＹｅｓで抜け、ステップＳ３１において撮影動作を実行し、ＣＣＤ２２１から画像データの取得と記録媒体２４５への記録動作を実行する。ステップＳ３３でレリーズ釦２１から撮影者の手がはなれ１Ｒがオフとなった場合、またはステップＳ３１の撮影動作が終了すると、ステップＳ２１に戻り、前述のステップを繰り返す。
【００３３】
ステップＳ２５に戻り、判定の結果、１Ｒがオフであった場合には、ステップＳ３５に進み、撮影モードに変更があったか否かの判定を行う（Ｓ３５）。撮影モードダイヤル２２によって設定された撮影モードに変更があった場合には、ステップＳ３７に進み、撮影モードの設定の変更を行い、ステップＳ２１に戻る。一方、撮影モードに変更がなかった場合には、ステップＳ３９に進み、表示切換があるか否かの判定を行う。これは、図示しないカメラ本体２００の表示切換釦の操作により情報表示モードからスルー画表示に切換られたか否かの判定である。表示切換があった場合には、図４のパワーオンリセットのルーチンにリターンし、ステップＳ１１をＹｅｓで抜けてステップＳ１３のスルー画表示モードのサブルーチンを実行する。
【００３４】
ステップＳ３９に戻り、表示切換がなかった場合には、ステップＳ４１に進み、パワースイッチがオフか否かの判定を行う。パワースイッチがオフであった場合には、図４のメインルーチンにリターンし、ステップＳ１７をＹｅｓで抜けてステップＳ３のスリープ状態となる。一方、パワースイッチがオンであった場合には、ステップＳ２１に戻り、前述のステップを繰り返す。
【００３５】
次に、図６を用いてスルー画表示モードのフローについて説明する。スルー画表示モードに入ると、まず低輝度フラグをクリアする（Ｓ５１）。この低輝度フラグは、被写体輝度が低輝度か否かを判定するためのフラグであり、マクロ撮影時に低輝度である場合に照明するか否かの判定を行うために使用される。後述するスルー画条件の設定１、設定２において低輝度の場合にセットされる。スルー画表示モードへの切り換わり時や撮影が終了した後には、初期化のために低輝度フラグはクリアされる。続いて、ステップＳ２１と同様に測光・露光量演算を行う（Ｓ５３）。この後、ＣＣＤ２２１の出力に基づいて画像データを得るための準備を行う。まず、可動ミラー２０１をアップさせ（Ｓ５５）、レンズ１０１、１０２からの被写体光束をファインダ光学系からＣＣＤ２２１側に導くようにする。可動ミラー２０１の上昇動作が完了すると、ステップＳ５７に進み、シャッタ２１３を開放状態にする。シャッタ２１３が開放することにより、ＣＣＤ２２１上に被写体像が結像する。
【００３６】
この後、ＣＣＤ２２１の駆動にあたっての電子シャッタスピードと感度の条件設定を行うために、ステップＳ５３で求めた測光・露光量の演算結果を用いてスルー画条件設定１のサブルーチンを実行する（Ｓ５９）。このサブルーチンの実行によって液晶モニタ２６に適切な明るさ（明度）の像を表示することができるが、このサブルーチンの詳細は図７を用いて後述する。スルー画条件設定１が終了すると、スルー画表示の準備ができたので、ステップＳ６１で、液晶モニタ２６に被写体像の表示を開始する。なお、スルー画表示動作の制御はこの開始指示を受けて画像処理回路２２７にて行われる。
【００３７】
スルー画を開始すると続いて、低輝度フラグがセットされているかを判定する（Ｓ６３）。この低輝度フラグはスルー画条件設定１またはスルー画条件設定２のサブルーチンの中で低輝度であると判定された場合に、セットされる。低輝度フラグがセットされていた場合には、ステップＳ６４に進み、照明装置５００がカメラ本体２００に装着されているかを判定する。これは前述したように、照明装置インターフェース２８２によって照明装置５００が装着されているか否かの検出を行っているので、この検出結果を参照することにより行う。照明装置５００が装着されていた場合には、ステップＳ６５に進み、マクロ撮影モードが設定されているか否か、若しくはマクロレンズが装着されているか否かの判定を行う。ここでの判定はオア条件であるので、２つの判定のうち、一つでもＹｅｓであれば、ステップＳ６７に進む。なお、マクロ撮影モードか否かの判定は、撮影モードダイヤル２２によって設定された撮影モードに基づいて行う。また、マクロレンズが装着されているか否かの判定は、装着されている撮影レンズがマクロ撮影に適したレンズであるか否かであり、撮影レンズ１００のレンズＣＰＵ１１１から送信されてきたレンズ固有情報に基づいて行う。
【００３８】
ステップＳ６５をＹｅｓで抜けた場合には、マクロ撮影モードの設定若しくはマクロレンズが装着されており、かつ被写体が低輝度であり、照明装置５００が装着されていることから、ステップＳ６７に進み、照明装置５００による照明を開始する。一方、前述の条件のいずれかを満たしていなかった場合、言い換えると、ステップＳ６３からＳ６５のいずれかをＮｏで抜けた場合には、ステップＳ６８に進み、照明装置５００が照明を行っている場合には照明を終了し、照明を行っていない場合には、消灯状態を維持する。このように被写体輝度が低輝度であるために照明撮影が必要な場合であって、被写体までの距離が近いため通常の自動調光だけでは狙い通りの写真とはならない場合には、撮影前にスルー画表示で被写体を観察しながら照明装置５００の配置等を調整することができる。この結果、白飛びや不自然な影が発生しない写真を得ることができる。なお、ステップＳ６８において、照明装置５００による照明の消灯を行うようにしているが、撮影者が意図的に消灯させるためのスイッチを設け、このスイッチの状態を検出して消灯するステップを付加しても良い。
【００３９】
次に、ステップＳ６９において、レリーズ釦２１が全押しされたか、すなわち２Ｒがオンか否かの判定を行う。判定の結果、２Ｒがオンであった場合には、撮像動作を行うが、まず、ステップＳ７１においてスルー画表示を停止する。これは撮像動作中に液晶モニタ２６でのスルー画表示が乱れる見苦しくなるのを防止するためである。続いてシャッタ２１３を開放状態から一旦シャッタ閉じ状態とし（Ｓ７３）、可動ミラー２０１をダウン状態として可動ミラー２０１を初期状態にする（Ｓ７５）。この後、撮影動作に移る（Ｓ７７）。撮影動作に入ると、まず、可動ミラー２０１をアップさせ、続いてシャッタ先幕の走行を開始させると共にＣＣＤ２２１による撮像を開始する。予め設定若しくは測光センサ２１１の測光値に基づくシャッタ速度に応じた露光時間が経過した時点でシャッタ後幕の走行を開始させる。シャッタ後幕走行時間終了後にＣＣＤ２２１による撮像を停止し、ＣＣＤ２２１から画像信号の読出しを行い、所定の処理を行った後、取得した静止画を液晶モニタ２６に再生表示すると共に記録媒体２４５に記録する。これらの撮影動作が終了するとステップＳ５１に戻り、前述のステップを繰り返す。
【００４０】
ステップＳ６９に戻り、２Ｒがオフであった場合には、ステップＳ７３に進み、撮影モードに変更があったか否かの判定を行う。撮影モードに変更があった場合には、ステップＳ７５に進み、変更された撮影モードの設定を行う。続いて、スルー画条件の設定２のサブルーチンを実行する（Ｓ７７）。このスルー画条件の設定２は、液晶モニタ２６におけるスルー画表示の明度を適切に保つことを目的とするサブルーチンである。ステップＳ５９のスルー画条件設定１はスルー画表示前であったので、測光センサ２１１の出力に基づいて行ったが、スルー画条件設定２では、狙いとする明度と前回撮像結果に基づく画面明度と差分から次回撮像時の電子シャッタスピードと感度を決定する。なお、ここで、明度とは、例えば、ＣＣＤの各画素出力の加重平均値に対応した値である。スルー画条件設定２のサブルーチンが終了すると、ステップＳ６３に戻り、前述のステップを繰り返す。
【００４１】
ステップＳ７３に戻り、撮影モードに変更がなかった場合には、ステップＳ７９に進み、表示切換がなされたか否かの判定を行う。これはカメラ本体の表示モード切換釦（不図示）が操作されて、情報表示モードに切り換えられたか否かの判定である。表示が切り換えられていなかった場合には、ステップＳ８１に進み、パワースイッチがオフか否かの判定を行う。パワースイッチがオンのままの場合には、ステップＳ７７に進み、前述のスルー画条件の設定２のサブルーチンを実行する。
【００４２】
ステップＳ７９において表示切換がなされていた場合、またはパワースイッチがオフであった場合には、図４のパワーオンリセットのルーチンにリターンするための準備動作を行う。まず、ＣＣＤ２２１の出力に基づくスルー画表示を停止する（Ｓ８３）。次に、シャッタ２１３を閉じ（Ｓ８５）、可動ミラー２０１をダウン状態にし、照明回路５０１によって照明を行っていた場合には、照明を終了する（Ｓ８９）。以上の処理が終了すると、図４のパワーオンリセットのルーチンにリターンし、ステップＳ１７をＹｅｓで抜けてステップＳ３のスリープ状態となる。
【００４３】
次に、「スルー画条件の設定１」と「スルー画条件設定２」について図７を用いて説明する。このサブルーチンは前述したように、液晶モニタ２６に被写体画像を表示する際の画像明度の調整を行うためのものである。まず、スルー画条件設定１のサブルーチンに入ると、ステップＳ２０１において、測光センサ２１１の出力ＢＶｓに基づいて次回撮像時の電子シャッタスピードＴＶ１と感度ＳＶ１の決定を行う。スルー画表示時における絞り値は開放絞りであるので、この絞り値をＡＶｓとすると、
ＡＶｓ＋ＴＶ１＝ＢＶｓ＋ＳＶ１
の関係があり、
ＢＶｓ−ＡＶｓ＝ＴＶ１−ＳＶ１
となる。この式の左辺は既知の値であるので、左辺の値からＴＶ１とＳＶ１を適宜、プログラムラインやテーブルに従って求めればよい。この後、決定された電子シャッタスピードＴＶ１と感度ＳＶ１をそれぞれのレジスタに記憶・設定する（Ｓ２０７）。ＣＣＤ駆動回路２２３は、ここで設定・記憶されたＴＶ１とＳＶ１に基づいてＣＣＤ２２１の駆動制御を行い、光電変換信号の読み出しを行う。
【００４４】
続いて、ステップＳ２０９に進み、ＴＶ１−ＳＶ１＜αか否か、即ち、シャッタスピードとＩＳＯ感度の差が所定値（閾値）αより小さいか否かの判定を行う。ここで、所定値αは適宜、設計値として設定すればよいが、例えば、シャッタスピードＴＶ１の下限値としては１／１６秒（ＴＶ＝４）、感度ＳＶ１の上限値はＩＳＯ１６００（ＳＶ＝９）とすると、所定値α＝４−９＝−５となる。ＴＶ１−ＳＶ１が所定値αよりも小さかった場合には、ステップＳ２１１に進み、低輝度フラグをセットする。一方、ＴＶ１−ＳＶ１が所定値αよりも大きかった場合には、低輝度フラグをセットすることなく、そのまま元のルーチンにリターンする。なお、低輝度でない場合に低輝度フラグをクリアしない理由は、判定レベル付近で被写体輝度がバラついた場合に、照明光がついたり消えたりして、スルー画像を見難くしてしまうことを防止するためである。
【００４５】
次に、「スルー画条件設定２」を説明する。設定２のサブルーチンに入ると、まず、狙いの画像明度（所定値）と前回撮像時の画像明度との差ΔＥＶを算出する（Ｓ２０３）。続いて、画像明度が一定となるように、次回撮像時の電子シャッタスピードＴＶ１と感度ＳＶ１を決定する（Ｓ２０５）。この決定にあたっては、次の要素から求める。
・開放絞り値ＡＶｓ
・前回撮像時の電子シャッタスピードＴＶ０
・前回撮像時の感度ＳＶ０
・狙いの画像明度と前回撮像時の画像明度との差ΔＥＶ
まず、露出条件の基本式として
ＡＶｓ＋ＴＶ０＝ＢＶ０＋ＳＶ０  
である。
【００４６】
ここで、ＢＶ０は前回の輝度であるが、真の値は分からず、上記基本式では仮の値としている。真の輝度値ＢＶ０は、狙いとの差、即ち、ΔＥＶだけ外れていることから、
ＢＶ０＝ＡＶｓ＋ＴＶ０−ＳＶ０＋ΔＥＶ
＝ＡＶ１＋ＴＶ１−ＳＶ１
となり、この関係式からＴＶ１とＳＶ１を求める。ここで、差ΔＥＶは、例えば、撮像素子の各画素の出力の加重平均と狙いとする値との差から求めればよい。このステップＳ２０５を終了すると、前述したステップＳ２０７に進み、このステップを実行した後、元のルーチンに戻る。
【００４７】
以上のように本実施形態では、被写体が低輝度か否かの判定と（Ｓ６３）、マクロ撮影モードが設定されているか、若しくはマクロレンズが装着されているかの判定（Ｓ６５）を行い、低輝度かマクロ撮影状態の場合には、照明装置５００によって照明光を照射し（Ｓ６７）、画像記録用のＣＣＤ２２１によって被写体像を液晶モニタ２６にスルー画表示するようにしたので、撮影前に白飛びや不自然な影が発生しないかどうかを確認することができ、大変便利である。また照明装置５００が装着されているか否かの判定も行っており（Ｓ６４）、照明装置が装着されていないにもかかわらず、照明発光のための駆動信号を出力してしまうことを防止できる。
【００４８】
なお、本実施形態においては、照明装置５００による照明を開始させるための条件として、ステップＳ６３からＳ６５の３つの条件を設定したが、ステップＳ６５でのオア条件をアンド条件に代えて、低輝度かつマクロ撮影モードかつマクロレンズが装着された場合に照明装置５００による照明を開始させるようにしても良い。
【００４９】
次に本実施形態の変形例について説明する。本発明の一実施形態においては、照明装置５００による照明を行うのは、マクロ撮影モードもしくはマクロレンズが装着されていた場合に行っていたが（Ｓ６５）、変形例においては、撮影レンズ１００のピント位置がマクロ撮影に適した距離にある場合に、照明を行うようにする。このため、図６に示すスルー画表示モードのフローにおいて、ステップＳ６５に代えて、「撮影レンズの被写体距離がマクロ領域か？」を挿入し、Ｙｅｓの場合にはステップＳ６７へ、Ｎｏの場合にはステップＳ６８に進むとする。このように構成することにより、実際に撮影レンズ１００がマクロ領域を観察している場合に照明を行うことができ、不自然な影の発生を防止することができる。なお、ここでマクロ領域としては、撮影レンズの最至近距離から１ｍ、好ましくは最至近距離から５０ｃｍ、さらに好ましくは最至近距離から３０ｃｍを意味する。
【００５０】
本発明の一実施形態と変形例とを組み合わせ、例えば、低輝度で、マクロ撮影モードに設定され、かつ撮影レンズがマクロ領域にある場合に照明装置５００による照明を行うとか、マクロレンズが装着され、かつ撮影レンズマクロ領域にある場合等に照明を行うようにしても良い。
【００５１】
以上のように、本発明の一実施形態や変形例では、低輝度におけるマクロ撮影にあたって、照明装置５００により被写体に対して照明するようにしたので、実際の撮影条件とほぼ同等の状態で被写体像を観察できるので、撮影に失敗することを事前に防止することができ、大変便利である。なお、マクロ撮影かどうかの判定は、マクロ撮影モードの設定、マクロレンズの装着、撮影レンズの距離設定等、種々の方法がある。
【００５２】
本実施形態においては、照明装置５００として白色ＬＥＤを用いた例を説明したが、これに限らず、例えば、閃光発光装置に電球等による補助照明装置を設け、ステップＳ６７における照明は電球等による補助照明装置によって行い、撮影動作時の照明は閃光発光装置によって行っても構わない。また、照明装置５００による連続照明は、文字通りの連続点灯の他、パルス光や間欠光によって、実質的に連続的な照射となっている照明を含んでいる。
【００５３】
本実施形態においては、照明装置５００は撮影レンズ１００の先端に装着していたが、これに限らず、カメラ本体２００に装着するものでも勿論構わないし、カメラ本体内に照明装置が内蔵されているものでも構わない。また、照明装置の装着状態を接続の通電状態によって検出したが、これに限らず機械的または電気的スイッチを設けて検出するようにしても勿論構わない。さらに、本実施形態においては、撮像素子はＣＣＤ２２１のみであったが、これに限らず、例えばファインダ光学系中に配置された撮像素子を有し、２以上撮像素子の出力を選択的にスルー画表示するような撮影装置にも適用できる。
【００５４】
なお、本実施形態においては、デジタルカメラとして一眼レフタイプに適用した例を説明したが、本発明はデジタル一眼レフカメラに限らず、例えば、コンパクトタイプ等のデジタルカメラにも適用でき、さらには、携帯電話に設けられたデジタルカメラにも適用できることは勿論である。いずれにしても記録用撮像素子の出力を用いて被写体像を観察用としてモニタに表示すると共に照明装置が装着可能もしくは内蔵されているデジタルカメラ、電子撮像装置であればよい。
【図面の簡単な説明】
【００５５】
【図１】本発明の一実施形態におけるデジタル一眼レフカメラシステムを正面から見た外観斜視図である。
【図２】本発明を適用した一実施形態におけるデジタル一眼レフカメラの撮影モードダイヤルの平面図である。
【図３】本発明を適用した一実施形態におけるデジタル一眼レフカメラの全体構成を示すブロック図である。
【図４】本発明の一実施形態におけるパワーオンリセットの動作を示すフローチャートである。
【図５】本発明の一実施形態における情報表示モードの動作を示すフローチャートである。
【図６】本発明の一実施形態におけるスルー画表示モードの動作を示すフローチャートである。
【図７】本発明の一実施形態におけるスルー画条件の設定１とスルー画条件の設定２のフローチャートである。
【符号の説明】
【００５６】
２１  レリーズ釦
２２  撮影モードダイヤル
２６  液晶モニタ
１００  撮影レンズ
１０３  絞り
１０７  レンズ駆動機構
１０９  絞り駆動機構
１１１  レンズＣＰＵ
２００  カメラ本体
２０１  可動ミラー
２１１  測光センサ
２１３  シャッタ
２１７  測距回路
２２１  ＣＣＤ
２２３  ＣＣＤ駆動回路
２２５  ＣＣＤインターフェース回路
２２７  画像処理回路
２２９  ボディＣＰＵ
２８２  照明装置インターフェース
３００  通信接点
３１０  通信接点
４００ａ  コネクタ
４００ｂ  ソケット
５００  照明装置
５０１  照明回路
５０４ａ  左側照明部
５０４ｂ  右側照明部
【図１】
2007312268.tif 000003
【図２】
2007312268.tif 000004
【図３】
2007312268.tif 000005
【図４】
2007312268.tif 000006
【図５】
2007312268.tif 000007
【図６】
2007312268.tif 000008
【図７】
2007312268.tif 000009